(57)【特許請求の範囲】
【請求項１】
下記の連結容器（Ａ）を構成する少なくとも１個の容器と、その容器以外の物品とを組み合わせて収容するためのケースであって、上記容器を取り付けるための容器取付スペースと上記物品の収容スペースとが設けられたケース本体と、このケース本体の上面を蓋する蓋体とを備え、上記ケース本体における容器取付スペースに、上記容器の上部を入り込ませるための開口が形成され、その開口周縁部に、上記容器の上部係合手段Ｙと係合しうる係合手段Ｘ′が設けられており、上記開口に上記容器の上部を入り込ませて開口周縁部の係合手段Ｘ′と容器上部の係合手段Ｙとを係合させた状態において、容器の上端面とケース本体の上面とが面一になるよう設定されていることを特徴とする容器収容ケース。
（Ａ）２個以上の同形状の有底筒状容器からなり、各容器の下部に、係合手段Ｘがそれぞれ設けられているとともに、各容器の上部に、上記係合手段Ｘと係合しうる係合手段Ｙがそれぞれ設けられており、各容器の下部係合手段Ｘを、その下に配置させた他の容器の上部係合手段Ｙと係合させることによって、各容器が多段に連結されるようになっている連結容器。
【請求項２】
上記連結容器（Ａ）の各容器に設けられる下部係合手段Ｘが、容器外周面の下部に設けられた円筒部の内周面に形成された雌ねじ部であり、同じく各容器の上部係合手段Ｙが、容器外周面の上部に形成された雄ねじ部である請求項１記載の容器収容ケース。
【請求項３】
上記ケース本体が一枚の略板状体で構成されており、ケース本体に取り付けられる容器の下向き突出部分保護のための側壁が、上記ケース本体の外周縁から下向きに延設されている請求項１または２記載の容器収容ケース。
【発明の詳細な説明】
【技術分野】
【０００１】
本発明は、多段に連結することができるよう構成された連結容器の少なくとも１個を取り出して、他の物品と組み合わせて収容することのできる容器収容ケースに関するものである。
【背景技術】
【０００２】
従来から、種類の異なる複数の化粧料を一まとまりで保管したり携帯したりするために、例えば図８（ａ）に示すような連結容器（特許文献１参照）が賞用されている。
【０００３】
このものは、硬質の容器体１と、非硬質のキャップ２とからなる容器３において、容器体１の底部に連結用筒４を突出形成し、上記連結用筒４を下位容器３のキャップ外面に嵌合させて、複数容器３を多段に連結することができるようにしたものである。なお、５は容器３内を気密に保つためのパッキンで、最上位の容器３におけるキャップ２とパッキン５の形状は、下位容器３とやや異なる形状になっている。
【０００４】
また、最近は、図８（ｂ）に示すように、各容器３にいちいちキャップ２を設けず、上記連結用筒４の内周面に雌ねじ部６を設けるとともに、容器３の胴体部の周囲に雄ねじ部７を設け、両者をら合することによって、全体を、よりコンパクトにした連結容器が出回っている。そして、各容器３を比較的浅くして、各容器３内に、リップカラーやアイカラー等を色ごとに収容して一まとまりで保管したり、必要な色の組合せを取り出して携帯したりするのに利用されている。なお、最上位の容器３の上面開口は、別途用意される蓋体８によって塞がれるようになっている。
【特許文献１】特開２００４−１８０８公報
【発明の開示】
【発明が解決しようとする課題】
【０００５】
しかしながら、このような連結容器を利用して、複数の化粧料を一まとまりで携帯する場合、化粧に必要な紅筆やパフは、上記連結容器と一体的に連結することができないため、これらは別容器に収容するか、ばらばらのままで携帯しなければならず、取り扱いにくいという問題がある。また、上記連結容器と、紅筆ケース、パフケース等を、例えばポーチに一緒に入れて携帯した場合、互いに形状の異なる複数のケースがポーチ内で混在して嵩張るため、せっかく複数の化粧料を連結容器によってコンパクトに収納できても、全体としてはコンパクトとはいえず、連結容器を用いるメリットが小さい。さらに、上記連結容器は、全体として円柱状で、コロコロするため、薄型のバッグや、書類等の扁平な内容物を多く入れるバッグに入れて携帯するには不向きであるという問題もある。
【０００６】
本発明は、このような事情に鑑みなされたもので、上記連結容器を構成する容器と他の物品とを一体的に収容することができ、携帯に便利な容器収容ケースの提供を、その目的とする。
【課題を解決するための手段】
【０００７】
上記の目的を達成するため、本発明は、下記の連結容器（Ａ）を構成する少なくとも１個の容器と、その容器以外の物品とを組み合わせて収容するためのケースであって、上記容器を取り付けるための容器取付スペースと上記物品の収容スペースとが設けられたケース本体と、このケース本体の上面を蓋する蓋体とを備え、上記ケース本体における容器取付スペースに、上記容器の上部を入り込ませるための開口が形成され、その開口周縁部に、上記容器の上部係合手段Ｙと係合しうる係合手段Ｘ′が設けられており、上記開口に上記容器の上部を入り込ませて開口周縁部の係合手段Ｘ′と容器上部の係合手段Ｙとを係合させた状態において、容器の上端面とケース本体の上面とが面一になるよう設定されている容器収容ケースを第１の要旨とする。
（Ａ）２個以上の同形状の有底筒状容器からなり、各容器の下部に、係合手段Ｘがそれぞれ設けられているとともに、各容器の上部に、上記係合手段Ｘと係合しうる係合手段Ｙがそれぞれ設けられており、各容器の下部係合手段Ｘを、その下に配置させた他の容器の上部係合手段Ｙと係合させることによって、各容器が多段に連結されるようになっている連結容器。
【０００８】
また、本発明は、そのなかでも、特に、上記連結容器（Ａ）の各容器の下部係合手段Ｘが、容器下部に設けられた円筒部の内周面に形成された雌ねじ部であり、同じく各容器の上部係合手段Ｙが、容器外周面の上部に形成された雄ねじ部である容器収容ケースを第２の要旨とする。
【０００９】
さらに、本発明は、それらのなかでも、特に、上記ケース本体が一枚の略板状体で構成されており、ケース本体に取り付けられる容器の下向き突出部分保護のための側壁が、上記ケース本体の外周縁から下向きに延設されている容器収容ケースを第３の要旨とする。
【発明の効果】
【００１０】
すなわち、本発明は、それ自身の上下に設けられた係合手段Ｘ、Ｙを利用して多段に連結しうる連結容器の少なくとも１個を、その上部係合手段Ｙと係合する相手方の係合手段Ｘ′が設けられた容器収容ケースに、その係合を利用して、ケース本体上面と容器上端面とが面一になるように収容保持するとともに、この容器収容ケースに、その容器以外の他の物品を収容するための収容スペースを設け、上記容器と物品とを一体的に収容保持することができるようにしたものである。したがって、この容器収容ケースによれば、従来、ばらばらでまとまりを欠いていた連結容器と、その関連物品等とを、互いに関連づけて一体的に保管したり携帯したりすることができ、非常に便利であるという優れた効果を奏する。
【００１１】
そして、それらのなかでも、特に、上記連結容器（Ａ）の各容器の下部係合手段Ｘが、容器下部に設けられた円筒部の内周面に形成された雌ねじ部であり、同じく各容器の下部係合手段Ｙが、容器外周面の上部に形成された雄ねじ部であるものは、容器収容ケースのケース本体側の係合手段Ｘ′として、上記容器上部の雄ねじ部と係合しうる雌ねじ部を設け、これに上記容器上部の雄ねじ部をら合させることによって、容器を簡単かつ安定した状態でケース本体に取り付けて収容することができ、好適である。
【発明を実施するための最良の形態】
【００１２】
つぎに、本発明を実施するための最良の形態について説明する。ただし、本発明は、この実施の形態に限られるものではない。
【００１３】
図１は、本発明を実施するための最良の形態を示す斜視図であり、図２は、そのＡ−Ａ′断面を部分的に示す説明図である。このものは、本発明を、化粧料を収容する連結式の容器３と、その化粧のための化粧具（この例では紅筆１３と化粧チップ１４）とを、同時に収容することのできる容器収容ケースに適用したもので、上記容器３は、図８（ｂ）に示すものと同様の連結容器である。したがって、容器３に関する説明は、省略する。
【００１４】
この容器収容ケースは、略板状のケース本体１０と、その奥端部に、ヒンジを介して矢印で示すように開閉自在に取り付けられる蓋体１１とで構成されており、一般的なコンパクト容器と同様、蓋体１１の前端部に設けられた係合用突片１１ａを、ケース本体１０側に設けられた係止片付溝部１０ａと係合させることにより、蓋体１１を閉じた状態で安定的に保持できるようになっている。
【００１５】
そして、上記ケース本体１０の手前側は、物品収容スペースＰになっており、この部分に、平面視が長方形状の凹部１２が形成されている。そして、この凹部１２内に、リップカラー塗布用の紅筆１３とアイカラー塗布用の化粧チップ１４とが収容されるようになっている。
【００１６】
また、上記ケース本体１０の奥側は、容器取付スペースＱになっており、この部分に、４個の開口１５が形成されている。そして、各開口１５の周縁部に、下向きにガイド筒１６が突設されており、各ガイド筒１６の内周面に、この部分に嵌入される容器３の外周面上部に形成された雄ねじ部７（係合手段Ｙ）とら合する雌ねじ部１７（係合手段Ｘ′）が形成されている。したがって、一つの開口１５ごとに１個の容器３を、上記ガイド筒１６内の雌ねじ部１７とら合させることによって、合計４個の容器３を、ケース本体１０の表面に沿って平たく並べた状態で、取り付け保持できるようになっている。
【００１７】
そして、上記のようにケース本体１０に取り付け保持された各容器３の上面開口と、前記紅筆１３等を収容する凹部１２の上面開口は、前記蓋体１１を閉じることにより、同時に塞がれるようになっている。
【００１８】
上記構成によれば、図８（ｂ）に示すように連結することのできる４個の容器３を、それぞればらばらの状態にして、各容器３の上部に設けられた雄ねじ部７を、本体１０の開口１５に設けられた雌ねじ部１７に下からねじ込むだけで、これらを簡単かつ安定的にケース本体１０に取り付けることができる。そして、上記ケース本体１０の手前側には、紅筆１３等の関連物品を収容するための凹部１２がさらに設けられているため、上記容器３とともに、上記関連物品を併せて収容保持することができ、これらを、一体的に保持することができる。
【００１９】
したがって、たくさんの色の異なるリップカラーやアイカラーを、それぞれ連結容器３入りの形態で持っており、これらの中から必要な色と種類を選択して携帯する持ち歩く場合には、上記容器収容ケースに、その容器３（４個まで）を取り付けるとともに、紅筆１３等を凹部１２内に収容することによって、これらを一まとまりで、非常にコンパクトな形にして携帯したりすることができ、非常に便利である。しかも、複数の容器３が、容器本体１０の表面に沿って並列的に取り付け保持され、全体として平たいケース（図１参照）に収まっているため、薄型のバッグや、書類等の扁平な内容物を多く入れるバッグに入れても嵩張らないという利点を有する。そして、ケース本体１０を薄肉成形品とすることにより、ケースの軽量化が可能となり、より一層持ち歩きやすく携帯に便利なものとすることができる。
【００２０】
なお、上記の例において、４個より多い容器３を一まとまりで携帯したい場合は、例えば図３に示すように、ケース本体１０に取り付けた容器３の下方に突出する連結筒４を利用して、この部分にさらに容器３を連結して、取り付ける容器の数を増やすことができる。この場合、ケース厚み方向にはボリュームが多少増すが、より多くの種類のリップカラーやアイカラーを同時に携帯することができ、出先で豊富な色使いのメイクアップを施すことができる。また、場所や状況に応じて、色使いを変えたメイクアップを施すことができる。
【００２１】
また、上記の例では、ケース本体１０が一枚の略板状体で構成されており、その略板状のケース本体１０から下向きに、紅筆１３等を収容するための凹部１２が突出形成されており、各開口１５の雌ねじ部１７内にねじ込まれた４個の容器３も、下向きに突出することになる。そこで、これらの下向き突出部分を保護するために、例えば図４に示すように、ケース本体１０の外周縁に、下向きに側壁１８を延設するようにしてもよい。
【００２２】
さらに、上記の例では、ケース本体１０の容器取付スペースＱに形成した４個の開口１５から下向きにガイド筒１６を突設して、その内周面に雌ねじ部１７を形成するようにしたが、参考例として、例えば図５に示すように、ケース本体１０の開口１５から上向きにガイド筒１６′を突設し、その内周面に雌ねじ部１７を形成するようにしてもよい。この場合も、上記の例と同様、ケース本体１０の下から容器３をねじ込むだけで、ケース本体１０に、これらを簡単かつ安定的に取り付けることができる。したがって、容器３と紅筆１３等の関連物品とを一体的に保持して携帯することができ、上記と同様の効果を得ることができる。
【００２３】
また、上記の例は、連結容器を構成する各容器３の下部係合手段Ｘが雌ねじ部６であり、同じく各容器３の上部係合手段Ｙが雄ねじ部７であり、容器収容ケース側に、係合手段Ｘ′として、上記雄ねじ部７と係合する雌ねじ部１７を設けたが、必ずしも雌ねじ部１７を設ける必要はなく、例えば、容器収容ケースのガイド筒１６（もしくは１６′）の内周面に、上記容器３側の雄ねじ部７と係合する突条もしくは周方向に断続的に形成される突片を設け、これによって、容器３を嵌入固定するようにしても差し支えない（図示せず）。
【００２４】
さらに、図６に示すように、連結容器を構成する各容器３′の下部係合手段Ｘと上部係合手段Ｙが、互いに嵌合する凹凸部２０、２１になっている場合、ケース本体１０のガイド筒１６の内周面に、上記上部係合手段Ｙの凹凸部２１と嵌合する凹凸部２２（係合手段Ｘ′）を形成し、両者を嵌合固定するようにしても差し支えない。
【００２５】
また、前記図１〜図５に示す例では、容器３の上部係合手段Ｙである雄ねじ部７に係合する係合手段Ｘ′として、ケース本体１０の容器取付スペースＱに雌ねじ部１７を設けたが、参考例として、これとは逆に、図７に示すように、上記容器取付スペースＱに、上向きに突設するガイド筒１６″を設け、その外周面に、容器３の下部係合手段Ｘである雌ねじ部６に係合する係合手段Ｙ′として、雄ねじ部２３を設けるようにしてもよい。この場合、容器３を、ケース本体１０の上方から下向きにねじ込んで取り付けるため、前記の例のように、開口１５を設ける必要はない。
【００２６】
なお、上記図７に示す例の場合、ケース本体１０の表面より上に、容器３全体が突出した状態で取り付けられるため、これを保護するとともに、その上面開口を蓋体１１でぴったり塞ぐために、ケース本体１０の外周縁から上向きに、容器３の高さと略等しい側壁２４を立設することが好ましい。
【００２７】
そして、本発明において対象とする容器３は、互いに連結できる容器であれば、それがどのような形状であっても差し支えない。そして、その連結部における係合手段Ｘ、Ｙの形状も、互いに係合するものであれば、特に限定するものではない。容器３の連結に用いられる上部係合手段Ｙと係合しうる係合手段Ｘ′をケース本体１０の容器取付スペースＱに設けることにより、容器３を並べて保持することができるからである。また、同様に、上記容器３と関連ある物品がどのような形状であっても、上記ケース本体１０の物品収容スペースＰを設けておくことにより、上記容器３と関連物品とを、一体的に収容して携帯等に供することができ、本発明の効果を奏することができる。
【００２８】
なお、図７に示す参考例において、容器３の内容物が気密性を必要とするものである場合は、例えば図８（ａ）に示すように、各容器３に、個別に柔軟なキャップ５を取り付け、上記キャップ５を冠着した状態のまま、ケース本体１０に取り付けて、使用の都度、上記キャップ５を外して内容物を用いるようにすることができる。
【００２９】
また、本発明において、通常のコンパクト容器のように、ケース本体１０の上面に、透明なプラスチックフィルムからなる保護シートを挟んで中身を保護するとともに、蓋体１１の内側の面に鏡を取り付けるようにしてもよい。
【００３０】
さらに、本発明が対象する容器３は、化粧料の携帯や保管を目的とするものに限らず、各種の用途に用いることができる。例えば、１回分の粉薬を入れた連結容器と、オブラートや、他の錠剤とを組み合わせて携帯するためのケースや、種類の異なる複数のつけ爪を種類別に入れた連結容器と、つけ爪用接着剤等の用具とを組み合わせて携帯すためのケース等に用いることができる。
【図面の簡単な説明】
【００３１】
【図１】本発明の一実施例を示す斜視図である。
【図２】図１のＡ−Ａ′断面を示す部分的な説明図である。
【図３】上記実施例の他の使用形態を示す説明図である。
【図４】本発明の他の実施例を示す部分的な断面図である。
【図５】本発明の参考例を示す部分的な断面図である。
【図６】本発明のさらに他の実施例を示す部分的な断面図である。
【図７】本発明の他の参考例を示す部分的な断面図である。
【図８】（ａ）および（ｂ）は、ともに従来の連結容器の説明図である。
【符号の説明】
【００３２】
３  容器
１０  ケース本体
１１  蓋体
１２  凹部
１３  紅筆
１４  化粧チップ
１５  開口
１６  ガイド筒
Ｐ  物品収容スペース
Ｑ  容器取付スペース
【図１】
0005285935.tif 000002
【図２】
0005285935.tif 000003
【図３】
0005285935.tif 000004
【図４】
0005285935.tif 000005
【図５】
0005285935.tif 000006
【図６】
0005285935.tif 000007
【図７】
0005285935.tif 000008
【図８】
0005285935.tif 000009